(57)【要約】【課題】  デジタルカメラは操作部材が多く、設定可能なパラメータも複数存在するため、扱うのが難しいと感じている人が多い。特にシャッター速度や、絞りなどの調節は使用者が意図する写真を撮影するのに必要にもかかわらず、適切な調整がわからないため自動モードや、シーンモードに頼った撮影しかできない使用者が多く存在する。【解決手段】  そこで、撮影目的別に記憶装置に記憶しておいた模擬画像もしくは模擬動画によりガイダンスを行い、ユーザーに撮影装置の設定と撮影動作を実施させて、撮影目的に合った撮影装置の設定を練習できる模擬撮影モードを提供する。【選択図】  図４
2012109866.tif 000002
【特許請求の範囲】
【請求項１】
被写体を撮影して画像データを生成するために、複数の撮影パラメータを設定する撮影装置において、
画像表示手段と、
撮影シーンに毎に撮影パラメータの設定方法を説明する説明情報を記憶するメモリと、
前記メモリに記録される説明情報を前記画像表示手段に表示させて、前記複数の撮影パラメータの設定方法をガイドすると共に、設定した撮影パラメータで模擬撮影をガイドする制御手段と、
前記模擬撮影により得られた画像データと、当該画像データを取得したときの撮影パラメータとを前記画像表示手段に表示させる表示制御手段とを有することを特徴とする撮影装置。
【請求項２】
さらに、ユーザーにより撮影シーンの選択を行うための選択手段を有し、
前記説明情報は、静止画データまたは動画データであり、前記選択手段による撮影シーンの選択に応じて、前記制御手段の制御によって前記画像表示手段に前記説明情報が表示されることを特徴とする請求項１に記載の撮影装置。
【請求項３】
前記制御手段は、選択されたシーンに基づく模擬撮影をガイドするのに加えて、フルオート撮影または前記シーンの選択前の撮影モードでの撮影もガイドし、
前記表示制御手段は前記模擬撮影で得られた画像と、前記フルオートまたは前記シーンの選択前の撮影モードでの撮影で得られた画像と並べて前記画像表示手段に表示させることを特徴とする請求項２に記載の撮影装置。
【請求項４】
前記表示制御手段は前記画像表示手段に、前記模擬撮影で得られた画像と、前記フルオートまたは前記シーンの選択前の撮影モードでの撮影で得られた画像とを並べて表示すると共に、各画像を撮影したときの撮影パラメータも並べて表示することを特徴とする請求項３に記載の撮影装置。
【請求項５】
前記画像表示手段は、外装面に設置されたＴＦＴ・ＬＣＤ・有機ＥＬまたは、ファインダーの内部に設置されたＴＦＴ・ＬＣＤ・有機ＥＬなどの電子ビューファインダーであることを特徴とする請求項１ないし４のいずれか１項に記載の撮影装置。
【請求項６】
前記模擬撮影モードにおいて、パラメータの設定に応じた画像を取得するために、一つのシーンに対してあらかじめ複数のパラメータを設定した画像をメモリに記憶しておいて、メモリ制御回路によって、設定されたパラメータに応じた画像を読み出して画像表示部表示に表示することを特徴とする請求項１ないし５のいずれか１項に記載の撮影装置。
【請求項７】
メモリは、少なくとも、撮影シーンに毎に撮影パラメータの設定方法を説明する説明情報を記憶すると、画像表示手段を有し、被写体を撮影して画像データを生成するために、複数の撮影パラメータを設定する撮影装置の制御方法であって、
前記メモリに記録される説明情報を前記画像表示手段に表示させて、前記複数の撮影パラメータの設定方法をガイドすると共に、設定した撮影パラメータで模擬撮影をガイドする制御工程と、
前記模擬撮影により得られた画像データを、当該画像データを取得したときの撮影パラメータを前記画像表示手段に表示させることを特徴とする制御方法。
【発明の詳細な説明】
【技術分野】
【０００１】
本発明は、ユーザーが意図する写真を撮影するためのカメラの設定方法を習得するための技術に関するものである。
【背景技術】
【０００２】
デジタルカメラは操作部材が多く、設定可能なパラメータも複数存在するため、扱うのが難しいと感じている人が多い。特にシャッター速度や、絞りなどの調節は使用者が意図する写真を撮影するのに必要にもかかわらず、適切な調整がわからないため自動モードや、シーンモードに頼った撮影しかできない使用者が多く存在する。
【０００３】
この様な課題を解決するべく、ユーザーが詳細な知識を持たなくても、好適な撮影条件を設定して撮影することが出来るような技術が知られている。
【０００４】
例えば特許文献１では記憶媒体にあらかじめ見本画像とその撮影条件を記録しておき、その見本画像を選択することで同様の撮影条件が自動的に設定される技術が開示されている。特許文献２ではカメラの撮影モードの操作方法をガイドする技術が開示されている。
【先行技術文献】
【特許文献】
【０００５】
【特許文献１】特開２００２−１０１３３号公報
【特許文献２】特開２００４−２３３８３９号公報
【発明の概要】
【発明が解決しようとする課題】
【０００６】
しかしながら特許文献１の技術では使用者が選んだシーンに応じて、カメラ側が自動的に撮影条件を設定をするため、ユーザーの技術習得にはあまり役にたたない。つまり、自分で撮影装置のシャッター速度や、絞り値などを設定して、思い通りの表現の写真を撮影できるようにはなりにくい。
【０００７】
また、特許文献２では、ガイダンスによって各撮影モードの操作方法がわかるようになるが、パラメータの設定変更によって撮影される画像にどのような影響があるかわからないため、操作と、ユーザーの意図が結びつかない場合もあった。
【０００８】
かかる課題を解決するため、ユーザーに各種の撮影条件の調整方法を習得しやすい技術を提供することを目的とする。
【課題を解決するための手段】
【０００９】
上記目的を達成するために、本発明は、被写体を撮影して画像データを生成するために、複数の撮影パラメータを設定する撮影装置において、画像表示手段と、撮影シーン毎に撮影パラメータの設定方法を説明する説明情報を記憶する記憶手段と、記憶手段に記録される説明情報を画像表示手段に表示させて、前記複数の撮影パラメータの設定方法をガイドすると共に、設定した撮影パラメータで模擬撮影をガイドする制御手段と、模擬撮影により得られた画像データと、当該画像データを取得したときの撮影パラメータとを画像表示手段に表示させる表示制御手段とを有することを特徴とする撮影装置とを備えたことを特徴とする。
【発明の効果】
【００１０】
本発明によればユーザーはガイダンスを見ながら撮影パラメータの設定を実際に練習することができ、設定による撮影画像への効果を学ぶことができる。
【図面の簡単な説明】
【００１１】
【図１】実施例のデジタルカメラの断面図である。
【図２】実施例のデジタルカメラの背面斜視図である。
【図３】実施例のデジタルカメラの構成を示すブロック図である。
【図４】実施例のデジタルカメラの構成を示すフローチャートである。
【図５】実施例の画像表示部に表示される画面の一例を示したものである。
【図６】実施例の画像表示部に表示される画面の一例を示したものである。
【図７】実施例の画像表示部に表示される画面の一例を示したものである。
【図８】実施例の画像表示部に表示される画面の一例を示したものである。
【図９】実施例の画像表示部に表示される画面の一例を示したものである。
【図１０】実施例の画像表示部に表示される画面の一例を示したものである。
【発明を実施するための形態】
【００１２】
以下に、本発明の好ましい実施の形態を、添付の図面に基づいて詳細に説明する。図１は、本発明の実施形態にかかわる一例のデジタルカメラの断面図である。
【実施例】
【００１３】
図１は、本発明に適用できる一例のデジタルカメラ１０の断面図である。本実施例ではレンズ交換可能なデジタルカメラを示すが、レンズを内蔵したものでもよく、撮像素子により、光を電気信号に変換して画像を撮影するものであればその形態は限定されない。また、ファインダー１６は光学ファインダーを示しているが、電子ビューファインダーなどを使用して、表示装置としてもよく、特に限定はしない。なお点線は光路を示している。撮影レンズ１１によって被写体の光を集め、絞り装置１２によって光量と被写界深度を調整し、ミラー１３に反射し、ペンタプリズム１４によって光学ファインダー１５に導かれる。撮影者は光学ファインダー１６を覗く事により、構図を確認して撮影する事ができる。また、レリーズボタン（ＳＷ２）５２を押すことによって撮影動作が開始され、ミラー１３が光軸を退避すると同時にシャッター幕１６が開放し、撮像素子１７に結像されると画像データが生成されて、記録媒体８０に画像データが保存される。また、１８はジャイロセンサーで、撮影時の手ぶれ量を検知することができる。
【００１４】
図２は、本発明に適用できる一例のデジタルカメラ１０の背面斜視図を示す。各ボタンの説明は後述する。
【００１５】
図３は、本発明に適用できるデジタルカメラ１０の構成を示すブロック図である。撮影レンズ１１によって、被写体の光は電気信号へ変換する撮像素子１６に結像される。撮像素子１６へ導かれる光量を調整するために、撮像素子１６の手前には絞り装置１２、シャッター幕１５が設けてある。また、撮影時の手ぶれ情報を取得するためにジャイロセンサー１８が設けてある。
【００１６】
画像処理回路２２は、撮像素子から取得された画像データ、メモリ制御回路２０からの画像データに対して所定の画素補間処理や色変換処理を行う。
【００１７】
画像処理回路２２においては、撮像した画像データを用いて、所定の演算処理を行い、得られた演算結果に基づいてシステム制御回路４０がＡＦ（オートフォーカス）処理、ＡＥ（自動露出）処理、ＡＷＢ（オートホワイトバランス）処理を行う。
【００１８】
メモリ制御回路２０は、画像処理回路２２、メモリ３０を制御する。撮像素子１６からのデータは、画像処理回路２２、メモリ制御回路２３、或いは直接、メモリ制御回路２３を介して、メモリ３０に書き込まれる。
【００１９】
画像表示部２１はＴＦＴ・ＬＣＤ・有機ＥＬ等から成る表示部である。本実施例では撮影装置の外装である背面に設置してあるが、ファインダー１６の内部の電子ビューファインダーでもよいし、それらを併用しても良い。
【００２０】
メモリ３０は、撮影した静止画像や動画像のデータを格納し、所定枚数の静止画像データや所定時間の動画像データを格納するのに十分な記憶容量を備えている。
【００２１】
露光制御手段３２は絞り装置１２、シャッター幕１５を制御し、測距制御手段３３は撮影レンズ１１のフォーカシーングを制御する。
【００２２】
システム制御回路４０はメモリに格納される制御プログラムに基づきデジタルカメラ１０全体を制御し、撮影機能や、本実施例の制御をつかさどり、また画像表示部に表示する内容を制御する表示制御の機能もつかさどる。
【００２３】
レリーズボタン（ＳＷ１）５１、レリーズボタン（ＳＷ２）５２、ＡＦ指示ボタン５４、模擬撮影モード開始ボタン５５、４方向コントローラー５６、モード選択ダイヤル５７、画像再生ボタン５８、電源スイッチ６４はそれぞれ、システム制御回路４０の各種の動作指示を入力するための操作手段である。
【００２４】
レリーズボタン（ＳＷ１）５１は、レリーズボタン５０の操作途中でＯＮとなり、ＡＦ（オートフォーカス）処理、ＡＥ（自動露出）処理、ＡＷＢ（オートホワイトバランス）処理等の動作開始を指示する。
【００２５】
レリーズボタン（ＳＷ２）５２は、レリーズボタン５０の操作完了でＯＮとなり、撮像素子１６から読み出した信号を、メモリ制御回路２０を介してメモリ３０に画像データを書き込む露光処理の動作開始を指示する。同時に、記録媒体８０に画像データを書き込む記録処理を指示する。
【００２６】
決定ボタン５３は各種選択を行った際に、選択を決定するためのボタンである。
【００２７】
ＡＦ指示ボタン５４は、ＡＦ（オートフォーカス）処理、ＡＥ（自動露出）処理、ＡＷＢ（オートホワイトバランス）処理等の動作開始を指示することができる。
【００２８】
模擬撮影モード開始ボタン５５は、模擬撮影モードの開始を指示するための操作部であるが、他のボタンと兼用するようにしてもよいし、メニュー画面で選択できるようにしてもよい。
【００２９】
４方向コントローラー５６は、表示部２１が選択画面を表示している際に選択枠を移動させるボタンである。
【００３０】
撮影モード選択ダイヤル５７は、撮影装置の撮影モードを選択するダイヤルで、回転させることで撮影モードを選択することができる。
【００３１】
電源ボタン６４はデジタルカメラ１０の電源のＯＮ／ＯＦＦを指示するボタンである。
【００３２】
インターフェース７０はメモリカードやハードディスク等の記録媒体とデジタルカメラ１０との情報のやり取りを仲介するものである。コネクタ７１はメモリカードやハードディスク等の記録媒体との接続を行うものである。
【００３３】
なお、本実施例では記録媒体を取り付けるインターフェース及びコネクタを１系統持つものとして説明している。もちろん、記録媒体を取り付けるインターフェース及びコネクタは、単数或いは複数、いずれの系統数を備える構成としても構わない。インターフェース及びコネクタとしては、ＣＦ（コンパクトフラッシュ（登録商標））カード等の規格に準拠したものを用いて構成して構わない。
【００３４】
記録媒体８０はメモリカードやハードディスク等を示し、記録媒体８０は半導体メモリや磁気ディスク等から構成される記録部７５、デジタルカメラ１０とのインターフェース７２、デジタルカメラ１０と接続を行うコネクタ７３を備えている。
【００３５】
本発明の撮影装置は、使用者が意図する写真を撮影するための撮影装置の設定方法を習得することを可能にした模擬画像撮影モードを備えたものである。以下に模擬画像撮影の操作方法を、（図４）に示す模擬撮影モードのフローチャート、（図５）（図６）（図７）（図８）の模擬撮影モード中の表示画面により説明する。本実施形態では、模擬撮影画面表示のための説明情報および、動画データ、静止画データはメモリ３０に記憶されているが、記憶しておく装置は、フラッシュメモリーカードなどの外部記憶装置でも良く、特に限定はされるものではない。
【００３６】
ユーザーが電源を立ち上げ、模擬撮影開始ボタンを押すと、模擬撮影モードが立ち上がる。模擬撮影の開始には前記のように模擬撮影モード開始ボタンを設けてもよいし、他の機能と兼用するボタンにしてもよいし、メニュー画面で選択できるようにしてもよい。
【００３７】
（Ｓ０１）では、模擬撮影モードが立ち上がると、撮影シーン選択画面が表示される。これを見て、ユーザーは自分の希望するシーンを４方向コントローラー５６により選択し、決定ボタン５３により決定する。（Ｓ０２）では、（Ｓ０１）でシーンが決定されると、撮影装置にレンズが装着されていた場合（Ｓ０３）に進み、撮影装置にレンズが装着されていない場合、（Ｓ０４）に進む。
【００３８】
（Ｓ０３）では、装着レンズのレンズ情報を利用するかの選択が可能で、装着レンズのレンズ情報を利用する場合は、（Ｓ０５）へ進み、装着レンズのレンズ情報を利用しない場合は、（Ｓ０４）へ進む。
【００３９】
（Ｓ０４）では、予めメモリ３０に記憶しておいたレンズ情報から模擬撮影に使用するレンズを４方向コントローラー５６によって選択し、決定ボタン５３によって決定することができる。レンズが決定されると、（Ｓ０５）に進む。
【００４０】
（Ｓ０５）では、撮影モードの選択をすることができる。ユーザーは撮影モード選択ダイヤル５７によって撮影モードを選択し、決定ボタン５３によって決定する。撮影モードが決定されると、（Ｓ０６）に進む。
【００４１】
（Ｓ０６）では、（Ｓ０１）で選択されたシーンに応じて、模擬撮影画面が表示され、ユーザーは画面を見ながら撮影装置の操作をして各種の撮影パラメータを設定する。設定したらレリーズスイッチ５０を押すとユーザーの設定に応じた模擬画像が取得され、（Ｓ０７）に進む。
【００４２】
（Ｓ０７）では、（Ｓ０６）にて取得された模擬画像が表示され、ユーザーは画像に対して「満足」もしくは「不満」を選択し、「満足」が選択されると（Ｓ０９）に進み、「不満」が選択されると（Ｓ０８）に進む。
【００４３】
（Ｓ０８）では、取得された模擬画像に対する不満点を選択する選択肢が表示され、ユーザーが不満点を選択すると、（Ｓ０６）に進み、選択肢に応じたアドバイスを新たに表示して模擬撮影が開始される。これによって、ユーザーは選択されたシーンと同様の実際のシーンにおいて、取得画像に不満があった時にどのように撮影装置を設定すれば、自分のイメージに近い画像を取得できるかを練習することができる。
【００４４】
（Ｓ０９）では、取得された模擬画像に満足だった場合に、その設定を保存するかどうかを選択することができる。「設定値を保存する」を選択した場合、設定値を保存して（Ｓ１１）に進み、「設定値を保存しない」を選択すると、設定値を保存しないで（Ｓ１１）に進む。
【００４５】
（Ｓ１１）では、模擬撮影モードを続けるかの選択肢がでて、「続ける」を選択すると（Ｓ０１）から模擬撮影モードをスタートさせ、「終了する」を選択すると、模擬撮影モードは終了となる。
【００４６】
次に、（図５）に示すように「背景をぼかしたポートレート」の模擬撮影モードの説明を、表示される画面を示しながら説明する。まず、模擬撮影モード開始ボタン５５が押されると（画面０１）が表示され、「Ｙｅｓ」を選択すると、模擬撮影モードが開始される。
【００４７】
次に（画面０２）が表示され、撮影シーンの選択にうつる。撮影シーンの選択には（画面０２）のように練習する撮影シーンのタイトル、模擬撮影画面のサムネイル、練習内容の簡単な説明が表示される。４方向コントローラー５６で練習したいシーンを選択し、決定ボタン５３で決定する。本実施例では「背景をぼかしたポートレート」を選択する。
【００４８】
シーンが選択されると装着レンズがある場合は（画面０３）が表示される。ここで「レンズ情報を利用」を選択するか、で装着レンズがなかった場合は（図７）のレンズ選択画面が表示される。（画面０３）で「装着レンズを使用」を選択するか、（図７）のレンズ選択画面で、４方向コントローラー５６でレンズの焦点距離と、開放絞り値を選択し、決定ボタン５３で決定すると、模擬撮影モードで使用するレンズが決定される。
【００４９】
レンズが決定されると、撮影モード選択画面（画面０４）が表示される。撮影モード選択画面では、前記撮影シーンに応じて好ましい「推奨撮影モード（絞り値優先、シャッター速度優先、マニュアル等）」が表示される。ユーザーは表示を見て撮影モード選択ダイヤル５７で撮影モードを設定し、決定ボタン５３を押して撮影モードを決定する。
【００５０】
撮影モードが決定されると、（画面０５）が表示される。模擬撮影画面には、シーンによって静止画はもちろん、動画が表示されてもよい。ここで表示される模擬撮影画面は適正露出であることが好ましいので、模擬撮影画面をはじめに表示するときは、シーンごとに設定された適正露出パラメータに自動的にセットされても良い。または、ユーザーにパラメータを適正露出に変更するようにガイダンスがなされてもよい。本実施例では、模擬撮影画面、設定可能なパラメータ（絞り値）、パラメータの推奨値、パラメータの設定値の変更方法、パラメータの変更による効果、現在のパラメータの値が表示部２４に表示される。しかし、シーンによっては、ストロボの使用、ＩＳＯ感度、ホワイトバランスや、露出値、現像方法などが表示されてもよく、撮影装置で設定可能なパラメータであれば限定されない。例えば、野外の太陽光下でホワイトバランスが蛍光灯下になっていた場合、ホワイトバランスを太陽光に変更するようなガイダンスが表示されたり、露出オーバーになってしまった場合は、ＩＳＯ感度を下げるようなガイダンスが表示されてもよい。ユーザーは（画面０５）を見ながら設定を行うが、露出オーバーや露出アンダーなど撮影の失敗が考えられる条件になると、図８（ａ）のように警告画面が表示される。警告画面が表示されても撮影動作は実行可能としてもよいし、警告画面が表示されている間は撮影動作が実行不可能となるようにしてもよい。設定を終了して、レリーズボタン５２（ＳＷ２）を押すと、その設定値に応じたパラメータをもった模擬画像が取得される。
【００５１】
取得される模擬画像は、パラメータ（本実施例では絞り値）を変更しただけの複数の画像を記憶しておいて、その中から設定値が同一のものを読み出してもよい。または、絞り値の変化に応じて画像のぼけを変化させた画像を画像処理によって取得しても良く、本発明ではその取得方法は限定しない。
【００５２】
模擬画像が取得されると、（画面０６）のように取得された模擬画像と、模擬画像に対する評価の選択肢が表示部２４に表示される。ユーザーは模擬画像を見て、不満か満足かを判断し、４方向コントローラー５６で選択し、決定ボタン５３で決定する。ユーザーが「不満」選択すると、図９（ａ）のように不満点を選択する画面が現れ、４方向コントローラー５６で不満点を選択し、決定ボタン５３で決定をする。決定されるとユーザーの不満点を解消するためのパラメータの設定をガイダンスした模擬画像撮影モードが再度開始される。また、（画面０６）でユーザーが「満足」を選択すると、模擬画像が保存され（画面０７）が表示される。４方向コントローラー５６で「Ｙｅｓ」を選択し、決定ボタン５３で決定すると、（画面０８）のように保存された模擬画像と、そのときの設定値が並べて表示され、ユーザーは設定による画像の違いを確認することが可能となる。確認終了が選択されると、（画面０８）が表示される。また、（画面０６）において「Ｎｏ」を選択した場合は画像情報は破棄され、（画面０９）が表示される。（画面０９）では「模擬撮影を続けますか？」が表示され、「Ｙｅｓ」を選択すると、シーン選択画面（画面０２）が表示され、模擬撮影モードが継続される。「Ｎｏ」を選択する模擬撮影モードは終了する。
【００５３】
次に、（図６）に示すように「動きの速いスポーツ撮影」の模擬撮影モードの説明を、表示される画面を示しながら説明する。まず、模擬撮影モード開始ボタン５５が押されると（画面１１）が表示され、「Ｙｅｓ」を選択すると、模擬撮影モードが開始される。
【００５４】
次に（画面１２）が表示され、撮影シーンの選択にうつる。撮影シーンの選択には（画面１２）のように練習する撮影シーンのタイトル、模擬撮影画面のサムネイル、練習内容の簡単な説明が表示される。４方向コントローラー５６で練習したいシーンを選択し、決定ボタン５３で決定する。本実施例では「動きの速いスポーツ撮影」を選択する。
【００５５】
シーンが選択されると装着レンズがある場合は（画面１３）が表示される。ここで「レンズ情報を利用」を選択するか、で装着レンズがなかった場合は（図７）のレンズ選択画面が表示される。（画面１３）で「装着レンズを使用」を選択するか、（図７）のレンズ選択画面で、４方向コントローラー５６でレンズの焦点距離と、開放絞り値を選択し、決定ボタン５３で決定すると、模擬撮影モードで使用するレンズが決定される。レンズが決定されると、
撮影モード選択画面（画面１４）が表示される。撮影モード選択画面では、前記撮影シーンに応じて好ましい「推奨撮影モード（絞り値優先、シャッター速度優先、マニュアル等）」が表示される。ユーザーは表示を見て撮影モード選択ダイヤル５７で撮影モードを設定し、決定ボタン５３を押して撮影モードを決定する。
【００５６】
撮影モードが決定されると、（画面１５）が表示される。模擬撮影画面には、シーンによって静止画はもちろん、動画が表示されてもよい。ここで表示される模擬撮影画面は適正露出であることが好ましいので、模擬撮影画面をはじめに表示するときは、シーンごとに設定された適正露出パラメータに自動的にセットされても良い。または、ユーザーにパラメータを適正露出に変更するようにガイダンスがなされてもよい。本実施例では、模擬撮影画面、設定可能なパラメータ（シャッター速度）、パラメータの推奨値、パラメータの設定値の変更方法、パラメータの変更による効果、現在のパラメータの値が表示部２４に表示される。シーンによっては、ストロボの使用、ＩＳＯ感度、ホワイトバランスや、露出値、現像方法などが表示されてもよく、撮影装置で設定可能なパラメータであれば限定されない。例えば、暗い体育館などでは、シャッター速度を速くすると露出がアンダーになることがあるので、ストロボを使用するようなガイダンスがなされてもよい。模擬撮影画面には、シーンの動画が表示され、ユーザーは（画面１５）を見ながら設定を行うが、手ぶれなどのように撮影の失敗が考えられる条件になると、図８（ｂ）のように警告画面が表示されてもよい。また、警告画面が表示されても撮影動作は実行可能としてもよいし、警告画面が表示されている間は撮影動作が実行不可能となるようにしてもよい。
【００５７】
設定を終了して、レリーズボタン５２（ＳＷ２）を押すと、その設定値に応じたパラメータをもった模擬画像が取得される。取得される模擬画像は、模擬動画の１フレームに対してパラメータ（本実施例ではシャッター速度）を変更しただけの複数の画像を記憶しておいて、その中から設定値が同一のものを読み出してもよい。または、画像処理によって画像のぶれ量を変化させた画像を取得するようにしても良く、本発明ではその取得方法は限定しない。
【００５８】
模擬画像が取得されると、（画面１６）のように取得された模擬画像と、模擬画像に対する評価の選択肢が表示部２１に表示される。ユーザーは模擬画像を見て、不満か満足かを判断し、４方向コントローラー５６で選択し、決定ボタン５３で決定する。ユーザーが「不満」を選択すると、図９（ｂ）のように不満点を選択する画面が現れ、４方向コントローラー５６で不満点を選択し、決定ボタン５３で決定をする。決定されるとユーザーの不満点を解消するためのパラメータの設定をガイダンスした模擬画像撮影モードが再度開始される。また、（画面１６）でユーザーが「満足」を選択すると、模擬画像が保存され（画面１７）が表示される。４方向コントローラー５６で「Ｙｅｓ」を選択し、決定ボタン５３で決定すると、（画面１８）のように保存された模擬画像が並べて表示され、そのときの設定値も表示されるため、ユーザーは設定による画像の違いを確認することが可能となる。確認終了が選択されると、（画面１８）が表示される。また、（画面１６）において「Ｎｏ」を選択した場合は画像情報は破棄され、（画面１９）が表示される。（画面１９）では「模擬撮影を続けますか？」が表示され、「Ｙｅｓ」を選択すると、シーン選択画面（画面１２）が表示され、模擬撮影モードが継続される。「Ｎｏ」を選択する模擬撮影モードは終了する。
【００５９】
ここまでの実施例では撮影装置の設定の効果を確認する練習を説明してきたが、本発明においては撮影動作自体の練習を行えるようにしてもよい。
【００６０】
例えば、手ぶれをしないための練習をする方法を示す。模擬撮影画面が表示されている間、レンズ１１のジャイロセンサー１８から取得された手ぶれ情報によって手ぶれ量を測定し、測定値がある閾値を超えると模擬撮影画面で警告が表示されるようにする。撮影装置の手ぶれ補正をＯＮにすると、閾値が変化して手ぶれ補正の効果も確認することができる。また、シーン選択で手ぶれ練習を選択できるようにして図１０（ａ）のような模擬撮影画面を表示させて練習できるようにしてもよい。このシーンでは中央に照準が固定してあり、レンズ１１のジャイロセンサーの手ぶれ情報によって画面が手ぶれ方向にシフトするため、手ぶれを実感することが可能である。照準が動かないように練習することで実際の撮影シーンにおいてもユーザーは手ぶれを抑制した写真を撮影することが可能となる。
【００６１】
もう一つの例として、レリーズタイムラグを想定した撮影練習を考える。実際の撮影時にはユーザーがレリーズボタン（ＳＷ）５２の操作をするタイミングと、実際に撮影が行われるまでのタイムラグであるレリーズタイムラグが発生する。しかし、スポーツシーンなど一瞬を切り取りたいシーンにおいてはレリーズタイムラグによって、ユーザーの撮影したい瞬間に撮影できないことがある。模擬撮影ではシーンを動画で再生しながら撮影動作が可能なため、難しい練習も繰り返すことが可能である。練習方法であるが、例えば模擬撮影画面に図１０（ｂ）のような野球のバッティングシーンの動画を表示して、バットにボールがあたる瞬間を捉える練習をできるようにする。ユーザーはバットにボールがあたった瞬間を捉えたつもりでも、レリーズタイムラグによってボールを打った後の写真を撮影してしまうことになる。そこで（図４）のフローチャートでの（Ｓ０６）（Ｓ０７）（Ｓ０８）の操作を繰り返して、レリーズタイムラグ分早くレリーズボタン（ＳＷ）５２を操作する必要があることを繰り返し体験することができる。これによって、実際の撮影シーンにおいても、レリーズタイムラグを意識して好ましいタイミングで撮影を行える可能性が高くなる。
【００６２】
なお、上記の模擬撮影のガイダンスにおいて、選択されたシーンに基づく模擬撮影をガイドするのに加えて、シーンの選択をしない場合としてフルオート撮影またはシーンの選択前の撮影モードでの撮影もガイダンスしても良い。
【００６３】
そして、前記模擬撮影で得られた画像と、フルオートまたはシーンの選択前の撮影モードでの撮影で得られた画像と並べて表示することで、撮影パラメータの違いによる画像の違いを比較できるような表示を提供するとさらに便利である。
【００６４】
また、このときに撮影パラメータも各画像とともに同時に文字で並べて表示すると、撮影パラメータがどれだけ違うと、どのような画像に変化するのかを認識しやすくなり、また便利である。
【００６５】
（その他の実施例）
上記の実施例ではデジタルカメラを例にして説明したが、通信機能を備えたカメラ付き携帯電話やスマートフォン、ノートＰＣ等でも利用可能である。
【００６６】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2012109866.tif 000003
【図２】
2012109866.tif 000004
【図３】
2012109866.tif 000005
【図４】
2012109866.tif 000006
【図５】
2012109866.tif 000007
【図６】
2012109866.tif 000008
【図７】
2012109866.tif 000009
【図８】
2012109866.tif 000010
【図９】
2012109866.tif 000011
【図１０】
2012109866.tif 000012